(57)【特許請求の範囲】
【請求項１】
シートを搬送する搬送手段と、
モータからの駆動を前記搬送手段に伝達する無端状のベルトと、
前記搬送手段によって搬送されるシートに押されて回転する回転部材と、
前記回転部材の回転に応じて信号を発生するセンサと、を有し、
前記回転部材の一部が前記無端状のベルトの内周部に対向するように前記回転部材が配置されることを特徴とするシート搬送装置。
【請求項２】
前記回転部材は、軸方向に延びた軸部を備え、
前記軸部の一部が前記無端状のベルトの内周部に対向するように前記回転部材が配置されることを特徴とする請求項１に記載のシート搬送装置。
【請求項３】
前記センサはフォトインタラプタであって、
前記回転部材は、前記軸部から径方向に突出し、搬送されるシートが接触する接触部と、前記フォトインタラプタの光路を遮る遮光部と、を備え、
前記回転部材の軸方向において前記無端状のベルトを挟むように前記接触部と前記遮光部とが配置されることを特徴とする請求項２に記載のシート搬送装置。
【請求項４】
前記回転部材の軸方向において、前記無端状のベルトを挟んで、シートが搬送される搬送領域とは反対側に前記センサおよび前記モータが配置されることを特徴とする請求項１乃至３のいずれか１項に記載のシート搬送装置。
【請求項５】
回転することでシートを搬送する回転体と、
モータからの駆動を前記回転体に伝達する伝達手段と、
前記伝達手段に設けられたプーリと、
前記伝達手段に設けられ、前記プーリに支持された、環状のベルトと、
前記搬送されるシートに押されて回転する回転部材と、
前記回転部材の回転に応じて信号を発生するフォトインタラプタと、を有し、
前記回転部材は、
搬送されるシートが接する接触部と、
前記フォトインタラプタの光路を遮る遮光部と、
前記接触部と遮光部とを連結する軸部と、を備え、
前記プーリの軸線方向において、前記環状のベルトを挟んで前記接触部と前記遮光部とが配置され、且つ、前記環状のベルトの環の内側に、前記回転部材が配置されることを特徴とするシート搬送装置。
【請求項６】
請求項１乃至５のいずれか１項に記載のシート搬送装置と、
前記シート搬送装置によって搬送されるシートに画像を形成する画像形成部と、を有することを特徴とする画像形成装置。
【発明の詳細な説明】
【技術分野】
【０００１】
本発明は、シート搬送装置およびこれを備えた画像形成装置に関する。
【背景技術】
【０００２】
画像形成装置に備えられるシート搬送装置の搬送路にはシートを検知する検知部が配置されている（特許文献１）。検知部としては、搬送されるシートに押された回転する回転部材と、回転部材に位置に応じた信号を発生するフォトインタラプタで構成されたものがある。
【先行技術文献】
【特許文献】
【０００３】
【特許文献１】特開２０１０−８３６４４号公報
【発明の概要】
【発明が解決しようとする課題】
【０００４】
シート搬送装置では、小型化の要望が一層強くなってきている。従前のシート搬送装置は、近年の小型化の要望に充分に応えられるものではなくなってきた。
【０００５】
本発明の目的は、シート搬送装置を小型化することである。
【課題を解決するための手段】
【０００６】
本発明のシート搬送装置は、シートを搬送する搬送手段と、モータからの駆動を前記搬送手段に伝達する無端状のベルトと、前記搬送手段によって搬送されるシートに押されて回転する回転部材と、前記回転部材の回転に応じて信号を発生するセンサと、を有し、前記回転部材の一部が前記無端状のベルトの内周部に対向するように前記回転部材が配置されることを特徴とする。
【発明の効果】
【０００７】
本発明によれば、装置を小型化できる。
【図面の簡単な説明】
【０００８】
【図１】画像形成装置の断面図。
【図２】画像形成装置の拡大図。
【図３】画像形成装置の要部を前方向からの斜視図。
【図４】画像形成装置の要部を右奥方向からの斜視図。
【図５】画像形成装置の要部を奥方向からの詳細図。
【図６】センサフラグとフォトセンサの構成を説明するための説明図。
【図７】変形例を説明する説明図。
【発明を実施するための形態】
【０００９】
以下で、図面を参照しながら、本発明の実施の形態の具体例としての実施形態を説明するが、本発明は以下の実施形態に限定されるものではない。
【００１０】
なお、以下の図面を使用した説明において、理解の容易のために説明に必要な部材以外の図示は適宜省略されている。また、各図に示した「上、下、右、左、前、奥」の矢印の方向は、それぞれが同一方向を示している。
【００１１】
図１は、本発明の実施形態係る画像形成装置１００の断面図である。
【００１２】
シートＳ１は、シート積載部である給紙収納庫１０１が有するリフトアップトレイの上に積載される形で収納されている。給紙収納庫１０１のシートは、給紙機構により送り出される。給紙機構によって送りだされたシートＳ１は、給送ローラ１０６によって給送路１０７を搬送される。給送路１０７を経てきたシートは、レジストレーションローラ１０２によって、斜行の補正が行われる。レジストレーションローラ１０２によって斜行の補正が行われたシートはレジストレーションローラ１０２によってニ次転写部１０３に搬送される。
【００１３】
二次転写部１０３とは、二次転写内ローラ１０４および二次転写外ローラ１０５により形成される転写ニップ部である。ニ次転写部１０３は、搬送されてきたシートの表面にトナー像を転写する。
【００１４】
次に、二次転写部１０３でシートに転写されるトナー像の形成プロセスについて説明する。画像形成ユニット１２０は、感光体１２１、不図示の帯電部、露光機構１２２、現像器１２３、一次転写機構、および感光体クリーナ１２４を備える。
【００１５】
予め帯電部により表面を一様に帯電された図中矢印Ａの方向に回転する感光体１２１の表面に、露光機構１２２が画像信号に応じたレザー光を照射する。レザー光が照射されることによって感光体１２１の表面に潜像が形成される。
【００１６】
感光体１２１上に形成された静電潜像は、現像器１２３によってトナー現像される。これによって感光体上１２１にトナー像が形成される。一次転写機構により中間転写ベルト１３０に感光体１２１上のトナー像が転写される。その後、感光体１２１上に僅かに残った転写残トナーは感光体クリーナ１２４により回収される。
【００１７】
以上説明した画像形成ユニット１２０は、図１の場合、イエロー（Ｙ）、マゼンダ（Ｍ）、シアン（Ｃ）、およびブラック（Ｂｋ）の４セット存在する。もちろん、４色に限定されるものではなく、また色の並び順もこの限りではない。
【００１８】
中間転写ベルト１３０は駆動ローラ、二次転写内ローラ１０４、テンションローラ１３２等のローラによって張架され、図中矢印Ｂの方向へと駆動される。従って、先述のＹ、Ｍ、ＣおよびＢｋの各画像形成ユニット１２０により並列処理される各色の画像形成プロセスは、中間転写ベルト１３０上に一次転写された上流のトナー像を重ね合わせるタイミングで行われる。その結果、最終的にはフルカラーのトナー像が中間転写ベルト１３０上に形成され、二次転写部１０３へと搬送される。二次転写部１０３においてシート上にフルカラーのトナー像が転写される。
【００１９】
その後、トナー像が転写されたシートＳは定着部１５０へと搬送され、加圧・加熱等の手段によりトナー像を溶解固着させる。
【００２０】
以上説明した画像形成ユニット１２０、二次転写部１０３、定着部１５０によってシートに画像を形成する画像形成部が構成される。
【００２１】
このようにして得られた定着画像を有する該シートＳ１は、シート搬送装置としての搬送装置２０によって搬送される。
【００２２】
図２は、搬送装置２０を含んだ、定着手段１５０よりも搬送方向における下流側に配置されているシート搬送にかかる部材を示した拡大断面図である。
【００２３】
搬送装置２０は、第１搬送ローラ２０５ｂと、第２搬送ローラ２０５ａとを備える。第１搬送ローラ２０５ｂと、第２搬送ローラ２０５ａとの間には、第１搬送ローラ２０５ｂによって搬送されるシートを、第２搬送ローラ２０５ａにガイドする位置と、上方へガイドする位置に選択的に移動する揺動ガイド４０１が配置されている。
【００２４】
揺動ガイド４０１によって第２搬送ローラ２０５ａに搬送されたシートは第１排出トレイ１６０に、回転体としての第２搬送ローラ２０５ａによって排出される。
【００２５】
搬送装置２０は、シートの一方の面をガイドするガイド２０６と、シートの他方面をガイドする対向ガイド４０３と、を含む。第１搬送ローラ２０５ｂと、第２搬送ローラ２０５ａとの間には、シートを検知する検知部４０４が設けられている。
【００２６】
揺動ガイド４０１によって上方へガイドされたシートは、中継ローラ１５１によって上方に搬送される。中継ローラ１５１によって上へ搬送されるシートは、排出ローラ４０２によって第２排出トレイ１６１に排出される。
【００２７】
シートの両面に画像を形成する場合には、以下のようにシートを搬送する。即ち、中継ローラ１５１によって上方に搬送されたシートは、反転搬送機構１６２に搬送される。反転搬送機構１６２に搬送されたシートを、反転搬送機構１６２はスイッチバック搬送して、両面搬送路１６３に搬送する。シートは両面搬送路１６３によって、レジストレーションローラ１０２に案内される。レジストレーションローラ１０２に案内されたシートは２次転写部１０３によって裏面にトナー像が転写される。
【００２８】
次に、搬送装置２０の構成について詳述する。
【００２９】
図３は、右前方向からの搬送装置２０の斜視詳細図である、図４は右奥方向からの搬送装置２０の斜視図である。図５は、奥方向からの搬送装置２０の図である。
【００３０】
図４に示すように、画像形成装置１００の奥側には、モータ４０５からの駆動を第１、第２搬送ローラ２０５ａ、２０５ｂに伝達する駆動伝達部４０６が配置されている。
【００３１】
駆動伝達部４０６は、モータ４０５からの駆動が伝達される駆動入力部２０４ａと、第１プーリ２０２ａとを含む。駆動入力部２０４ａは、第２搬送ローラ２０５ａの軸の端部に設けられ第２搬送ローラ２０５ａと一体で回転する。
【００３２】
駆動入力部２０４ａと第１タイミングプーリ２０２ａとには、第１タイミングベルト４０７が掛け渡されている。駆動入力部２０４ａから第１タイミングベルト４０７を介して第１プーリ２０２ａに駆動力が伝達される。
【００３３】
駆動伝達部４０６は、第２プーリ２０２ｂを含む。駆動伝達部４０６は、さらに、第１プーリ２０２ａと第２プーリ２０２ｂとに掛け渡された第２タイミングベルト２０１を備える。第１プーリ２０２ａから第２タイミングベルト２０１を介して第２プーリ２０２ｂに駆動力が伝達される。
【００３４】
第２プーリ２０２ｂには、ギア２０４ｂと噛み合う歯を備えている。第２タイミングベルト２０１を介して第２プーリ２０２ｂに伝達された駆動力は、ギア２０４ｂに伝達される。
【００３５】
ギア２０４ｂは、第１搬送ローラ２０５ｂの軸の端部に設けられ、第１搬送ローラ２０５ｂと一体で回転する。即ち、駆動伝達部４０６によってギア２０４ｂに伝達されたモータ４０５からの回転駆動力によって、回転体としての第１搬送ローラ２０５ｂが回転する。
【００３６】
第１搬送ローラ２０５ｂと第２搬送ローラ２０５ａとの間でシートを検知する検知部４０４は、図６に示したように、回転部材４０８と、回転部材４０８の回転に応じた信号を発生するセンサとしてのフォトインタラプタ２０７とを含む。
【００３７】
回転部材４０８は、搬送されるシートが接する接触部２０８と、フォトインタラプタ２０７の光路を遮る遮光部２０９と、接触部２０８と遮光部２０９とを連結するように軸方向に延びた、円筒形状の軸部４０９と、を備える。回転部材４０８は軸部４０９を中心として回転自在に、搬送装置２０の本体によって支持されている。
【００３８】
図３、４に示しているガイド２０６によって案内されながら第１搬送ローラ２０５ｂによって搬送されるシートが接触部２０８に接触する。接触部２０８に接触したシートが回転部材４０８を回転させる。回転部材４０８が回転すると、回転部材４０８の遮光部２０９がフォトインタラプタ２０７（図６参照）の斜光／非遮光状態を切り換える。フォトインタラプタ２０７の斜光状態とは、遮光部２０９がフォトインタラプタ２０７の光路を遮った状態である。フォトインタラプタ２０７の非遮光状態とは、遮光部２０９がフォトインタラプタ２０７の光路を遮っていない状態である。
【００３９】
フォトインタラプタ２０７の斜光・非遮光状態に応じた信号をフォトインタラプタ２０７は発生する。即ち、回転部材４０８の回転に応じて、フォトインタラプタ２０７は信号を発生する。フォトインタラプタ２０７からの信号を受ける不図示の制御部は、ガイド２０６上のシートの有無をフォトインタラプタ２０７からの信号に基づいて認識する。
【００４０】
図６に示したように接触部２０８は軸部４０９から径方向に突出している。また、図３、４に示されるように、接触部２０８は、ガイド２０６から、ガイド２０６によって形成される搬送路内に突出している。軸部４０９は、装置の前―奥方向、即ち搬送されるシートの搬送方向と直交するシートの幅方向に延びている。図６に示したように、接触部２０８および遮光部２０９は、回転部材４０８の軸部４０９の両端部に設けられている。
【００４１】
図４、図５に示すように、環状となった第２タイミングベルト２０１の内周部に対向するように回転部材４０８の軸部４０９が位置している。即ち、環状になった第２タイミングベルト２０１の環の内側に回転部材４０８の軸部４０９が配置されている。そして、回転部材４０８の軸部４０９の延びている軸方向において、第２タイミングベルト２０１を挟むように、接触部２０８と遮光部２０９とが配置される。なお、回転部材４０８の軸方向は、第２プーリ２０２ｂの軸線方向に平行である。
【００４２】
回転部材４０８の軸方向において、接触部２０８は、第２タイミングベルト２０１よりもガイド２０６の側（シートが搬送される搬送領域の側）に位置されている。回転部材４０８の軸方向において、第２タイミングベルト２０１を挟んで、ガイド２０６とは反対側に遮光部２０９が配置されている。回転部材４０８の軸方向において、第２タイミングベルト２０１を挟んでガイド２０６と反対側にフォトインタラプタ２０７が配置されている。また、回転部材４０８の軸方向において、第２タイミングベルト２０１を挟んでガイド２０６と反対側にモータ４０５が配置されている。
【００４３】
環状となった第２タイミングベルト２０１の内周面と対向する位置に回転部材４０８の軸部４０９が位置している。この構成によって装置がコンパクトにできる。仮に環状となった第２タイミングベルト２０１の内周面に対向しないように回転部材４０８を配置したら、大型化してしまう。即ち、仮に環状となった第２タイミングベルト２０１の内周面に対向しないように回転部材４０８を配置しようとすると、第２タイミングベルト２０１を、回転部材４０８の軸部４０９から避けて、本実施形態とは別のスペースに配置しなければならない。すると、第２タイミングベルト２０１を配置する別のスペースを確保しなればならなくなって装置が大型化する。また、第２タイミングベルト２０１を回転部材４０８の軸部４０９から避けた位置に配置するためには、第２タイミングベルト２０１を支持する第１プーリ２０２ａと第２プーリ２０３ｂとを本実施形態とは別のスペースに配置しなければならない。すると、第１プーリ２０２ａと第２プーリ２０３ｂを配置する別のスペースを確保しなればならなくなって装置が大型化する。
【００４４】
また、モータ４０５とフォトインタラプタ２０７が共に、第２タイミングベルト２０１を挟んでガイド２０６と反対の、同じ側であって、互いに近接して配置されている。したがって、モータ４０５やフォトインタラプタ２０７からの電気束線を短くできる。電気束線を短くできるのでコストダウンすることができる。
【００４５】
なお、以上の説明では、タイミングベルト２０１の内周部に回転部材４０８の軸部４０９が対向するように配置した形態を例示した。しかしながら、タイミングベルト２０１の内周部に回転部材４０８の一部が対向すればよい。例えば、縦断面を図７に示した変形例のように、回転部材４０８の遮光部２０９がタイミングベルト２０１の内周部に対向するようにしてもよい。
【００４６】
以上説明したように、本実施形態では、第１搬送ローラ２０５ｂにモータ４０５からの駆動を伝達する駆動伝達部４０６を備えている。駆動伝達部４０６の、無端状の第２タイミングベルト２０１の内部に回転部材４０８の軸部４０９が配置されている。従って、搬送装置２０において、効率よくコンパクトに回転部材４０８を配置できているので、装置の小型化が達成できている。
【００４７】
以上の説明においては、画像形成部として、電子写真方式の画像形成部を例示した。しかしながら、インクジェット方式の画像形成部を備えた画像形成装置であってもよい。
【符号の説明】
【００４８】
２０１  第２タイミングベルト
２０７  フォトインタラプタ
４０８  回転部材
４０９  軸部
【図１】
0006537383.tif 000002
【図２】
0006537383.tif 000003
【図３】
0006537383.tif 000004
【図４】
0006537383.tif 000005
【図５】
0006537383.tif 000006
【図６】
0006537383.tif 000007
【図７】
0006537383.tif 000008